(57)【要約】      （修正有）【課題】電子メールの通信文中の絵文字や顔文字などを具体的で高画質で表情豊かな顔映像などに変換し、簡潔かつ円滑で、エンターテイメント性に富んだコミュニケーションを可能にする技術を提供する。【解決手段】ユーザ端末１から送信された絵文字付文章を、サーバ１０の通信処理部１１で受信すると、登録部１２及び画像文章処理部１５において、絵文字に対応するユーザ登録済みの画像をユーザデータベース１３から読み出して、文章と組み合わせて通信処理部１１を介してユーザ端末１に返送する。また、ユーザの指定により画像処理部１６において画像データベース１４を利用してモーフィング処理画像を合成して画像付き文章をユーザに提供可能な電子メール画像提供システム。【選択図】図１
0003135098.tif 000002
【実用新案登録請求の範囲】
【請求項１】
相手に通信文に込められた気持を伝えるために感情又は状況を表す表情、態度又は姿勢にそれぞれ対応した文字、記号、図形又はその組み合わせからなる表意文字列要素を記憶する表意文字列要素記憶手段と、表意文字列要素にそれぞれ対応した画像が記憶されている画像記憶手段と、ユーザが入力した文章から表意文字列要素を認識する表意文字列要素認識手段と、前記認識手段により認識された表意文字列要素に対応した画像をユーザ端末に提供する画像提供手段とからなる電子メール画像提供システム。
【請求項２】
請求項１に記載の電子メール画像提供システムにおいて、前記画像提供手段に表意文字列要素と共に入力された通信文を当該表意文字列要素に対応する画面に同時に表示する文字表示手段を有する電子メール画像提供システム。
【請求項３】
請求項２に記載の電子メール画像提供システムにおいて、文字表示手段が画像のセリフとして吹き出し表示又はテロップ表示されるように構成してなる電子メール画像提供システム。
【請求項４】
請求項１乃至３のいずれかに記載の電子メール画像提供システムにおいて、表意文字列要素が顔文字からなる電子メール画像提供システム。
【請求項５】
請求項１乃至３のいずれかに記載の電子メール画像提供システムにおいて、表意文字列要素が絵文字からなる電子メール画像提供システム。
【請求項６】
請求項１乃至５のいずれかに記載の電子メール画像提供システムにおいて、画像記憶手段の画像が静止画又は動画からなる電子メール画像提供システム。
【請求項７】
請求項６に記載の電子メール画像提供システムにおいて、画像記憶手段の動画がアニメーションからなる電子メール画像提供システム。
【請求項８】
請求項１乃至７のいずれかに記載の電子メール画像提供システムにおいて、画像がロボットからなる電子メール画像提供システム。
【請求項９】
請求項１乃至８のいずれかに記載の電子メール画像提供システムにおいて、画像提供手段がユーザが選択可能な複数のグループからなる画像を提供する電子メール画像提供システム。
【請求項１０】
請求項１乃至９のいずれかに記載の電子メール画像提供システムにおいて、ユーザが異なる表意文字列要素を複数入力することによって対応する画像が変化することからなる電子メール画像提供システム。
【請求項１１】
請求項１０に記載の電子メール画像提供システムにおいて、表意文字列要素の間に挟まれた通信文が画像と共に文字表示される電子メール画像提供システム。
【請求項１２】
請求項１１に記載の電子メール画像提供システムにおいて、通信文が画像の吹き出し表示又はテロップ表示として表示される電子メール画像提供システム。
【請求項１３】
請求項１０、１１又は１２に記載の電子メール画像提供システムにおいて、異なる画像がモーフィング手段により連続するように変化することからなる電子メール画像提供システム。
【請求項１４】
請求項１乃至１３のいずれかに記載の電子メール画像提供システムにおいて、表意文字列要素とこれに対応する画像がユーザから入力されたものを登録したものからなる電子メール画像提供システム。
【請求項１５】
請求項１乃至１４のいずれかに記載の電子メール画像提供システムにおいて、画像提供手段がユーザが選択可能な複数の画像を提供することからなる電子メール画像提供システム。
【請求項１６】
請求項１乃至１５のいずれかに記載の電子メール画像提供システムにおいて、画像提供手段がユーザが表意文字列要素に特定の付帯要素を付加することによって付帯画面が追加された画面を提供することからなる電子メール画像提供システム。
【請求項１７】
請求項１乃至１６のいずれかに記載の電子メール画像提供システムにおいて、表意文字列要素が意味のある１字又は複数の漢字、カタカナ、ひらがな、ローマ字、数字、記号又はアルファベット等からなる文字構成を有する電子メール画像提供システム。
【請求項１８】
請求項１乃至１７に記載の電子メール画像提供システムにおいて、一のユーザが入力した文章から表意文字列要素を認識する表意文字列要素認識手段と、前記認識手段により認識された表意文字列要素に対応した画像をサーバに接続した他のユーザ端末に提供する画像提供手段とからなる電子メール画像提供システム。
【考案の詳細な説明】
【技術分野】
【０００１】
本考案は、電子メールのユーザに画像を提供するシステムに関する。
【背景技術】
【０００２】
パーソナルコンピュータや携帯電話におけるメールやチャットでの文字によるコミュニケーションにおいては、従来、感情表現を簡潔に伝えられないという問題があった。ネットの中ではこれを補うために絵文字や顔文字などが自然発生的に使われ始めている。絵文字や顔文字は伝える側の感情や表情を従来の記号を組み合わせることによって画像として直感的に伝えることが可能である。
【考案の開示】
【考案が解決しようとする課題】
【０００３】
しかし、この絵文字や顔文字はしょせんは記号であるため、通信者の微妙な感情や状況を伝えるには限界がある。本考案は、絵文字や顔文字などをそれに対応するより具体的で高画質で表情豊かな顔映像などに変換することにより、簡潔かつ円滑で、エンターテイメント性に富んだコミュニケーションを可能にする技術を提供しようとするものである。
【課題を解決するための手段】
【０００４】
本考案は、実用新案登録請求の範囲の請求項１に記載のように、相手に通信文に込められた気持を伝えるために感情又は状況を表す表情、態度又は姿勢にそれぞれ対応した文字、記号、図形又はその組み合わせからなる表意文字列要素を記憶する表意文字列要素記憶手段と、表意文字列要素にそれぞれ対応した画像が記憶されている画像記憶手段と、ユーザが入力した文章から表意文字列要素を認識する表意文字列要素認識手段と、前記認識手段により認識された表意文字列要素に対応した画像をユーザ端末に提供する画像提供手段とからなる電子メール画像提供システムを提供するものである。
【０００５】
また、本考案は、請求項２に記載のように、請求項１に記載の電子メール画像提供システムにおいて、前記画像提供手段に表意文字列要素と共に入力された通信文を当該表意文字列要素に対応する画面に同時に表示する文字表示手段を有する電子メール画像提供システムを提供するものである。
【０００６】
また、本考案は、請求項３に記載のように、請求項２に記載の電子メール画像提供システムにおいて、文字表示手段が画像のセリフとして吹き出し表示又はテロップ表示されるように構成してなる電子メール画像提供システムを提供するものである。
【０００７】
また、本考案は、請求項４に記載のように、請求項１乃至３のいずれかに記載の電子メール画像提供システムにおいて、表意文字列要素が顔文字からなる電子メール画像提供システムを提供するものである。
【０００８】
また、本考案は、請求項５に記載のように、請求項１乃至３のいずれかに記載の電子メール画像提供システムにおいて、表意文字列要素が絵文字からなる電子メール画像提供システムを提供するものである。
【０００９】
また、本考案は、請求項６に記載のように、請求項１乃至５のいずれかに記載の電子メール画像提供システムにおいて、画像記憶手段の画像が静止画又は動画からなる電子メール画像提供システムを提供するものである。
【００１０】
また、本考案は、請求項７に記載のように、請求項６に記載の電子メール画像提供システムにおいて、画像記憶手段の動画がアニメーションからなる電子メール画像提供システムを提供するものである。
【００１１】
また、本考案は、請求項８に記載のように、請求項１乃至７のいずれかに記載の電子メール画像提供システムにおいて、画像がロボットからなる電子メール画像提供システムを提供するものである。
【００１２】
また、本考案は、請求項９に記載のように、請求項１乃至８のいずれかに記載の電子メール画像提供システムにおいて、画像提供手段がユーザが選択可能な複数のグループからなる画像を提供する電子メール画像提供システムを提供するものである。
【００１３】
また、本考案は、請求項１０に記載のように、請求項１乃至９のいずれかに記載の電子メール画像提供システムにおいて、ユーザが異なる表意文字列要素を複数入力することによって対応する画像が変化することからなる電子メール画像提供システムを提供するものである。
【００１４】
また、本考案は、請求項１１に記載のように、請求項１０に記載の電子メール画像提供システムにおいて、表意文字列要素の間に挟まれた通信文が画像と共に文字表示される電子メール画像提供システムを提供するものである。
【００１５】
また、本考案は、請求項１２に記載のように、請求項１１に記載の電子メール画像提供システムにおいて、通信文が画像の吹き出し表示又はテロップ表示として表示される電子メール画像提供システムを提供するものである。
【００１６】
また、本考案は、請求項１３に記載のように、請求項１０、１１又は１２に記載の電子メール画像提供システムにおいて、異なる画像がモーフィング手段により連続するように変化することからなる電子メール画像提供システムを提供するものである。
【００１７】
また、本考案は、請求項１４に記載のように、請求項１乃至１３のいずれかに記載の電子メール画像提供システムにおいて、表意文字列要素とこれに対応する画像がユーザから入力されたものを登録したものからなる電子メール画像提供システムを提供するものである。
【００１８】
また、本考案は、請求項１５に記載のように、請求項１乃至１４のいずれかに記載の電子メール画像提供システムにおいて、画像提供手段がユーザが選択可能な複数の画像を提供することからなる電子メール画像提供システムを提供するものである。
【００１９】
また、本考案は、請求項１６に記載のように、請求項１乃至１５のいずれかに記載の電子メール画像提供システムにおいて、画像提供手段がユーザが表意文字列要素に特定の付帯要素を付加することによって付帯画面が追加された画面を提供することからなる電子メール画像提供システムを提供するものである。
【００２０】
また、本考案は、請求項１７に記載のように、請求項１乃至１６のいずれかに記載の電子メール画像提供システムにおいて、表意文字列要素が意味のある１字又は複数の漢字、カタカナ、ひらがな、ローマ字、数字、記号又はアルファベット等からなる文字構成を有する電子メール画像提供システムを提供するものである。
【００２１】
また、本考案は、請求項１８に記載のように、請求項１乃至１７に記載の電子メール画像提供システムにおいて、一のユーザが入力した文章から表意文字列要素を認識する表意文字列要素認識手段と、前記認識手段により認識された表意文字列要素に対応した画像をサーバに接続した他のユーザ端末に提供する画像提供手段とからなる電子メール画像提供システムを提供するものである。
【考案の効果】
【００２２】
本考案に係る電子メール画像提供システムによれば、請求項１に記載のように、相手に自分の気持ちを伝えるために感情を表す表情、態度又は姿勢にそれぞれ対応した文字、記号又はその組み合わせからなる表意文字列要素を記憶する表意文字列要素記憶手段と、表意文字列要素にそれぞれ対応した画像が記憶されている画像記憶手段と、ユーザが入力した文章から表意文字列要素を認定する表意文字列要素認定手段と、前記認定手段により認定された表意文字列要素に対応した画像をユーザ端末に提供する画像提供手段とからなる構成を有することにより、パーソナルコンピュータや携帯電話におけるメールやチャットでの文字によるコミュニケーションにおいて、通信者の微妙な感情や状況を伝えるには限界がある顔文字等の表意文字列要素をそれに対応するより具体的で高画質で表情豊かな画像に変換して提供することができるから、メッセージにどのような感情がこめられているかが通信の相手に端的に伝わり、文字だけのメール通信に欠落しがちな通信者の感情や気持ちを表現できコミュニケーションを円滑化できる効果がある。
【００２３】
また、本考案は、請求項２に記載のように、請求項１に記載の電子メール画像提供システムにおいて、前記画像提供手段に表意文字列要素と共に入力された通信文を当該表意文字列要素に対応する画面に同時に表示する文字表示手段を有する構成により、通信文にどのような感情がこめられているかが通信の相手に同時に端的に伝わる効果がある。
【００２４】
また、本考案は、請求項３に記載のように、請求項２に記載の電子メール画像提供システムにおいて、文字表示手段が画像のセリフとして吹き出し表示又はテロップ表示されるように構成してなる構成を有することにより、画像に通信者のセリフとしてメッセージを伝達することが出来る効果がある。
【００２５】
また、本考案は、請求項４に記載のように、請求項１乃至３のいずれかに記載の電子メール画像提供システムにおいて、表意文字列要素が顔文字からなる構成を有することにより、ユーザが顔文字と画像との同一性を直感的に認識することができる効果がある。
【００２６】
また、本考案は、請求項５に記載のように、請求項１乃至３のいずれかに記載の電子メール画像提供システムにおいて、表意文字列要素が絵文字からなる構成を有することにより、ユーザが記号としての絵文字と画像との同一性を直感的に認識することができる効果がある。
【００２７】
また、本考案は、請求項６に記載のように、請求項１乃至５のいずれかに記載の電子メール画像提供システムにおいて、画像記憶手段の画像が動画からなる構成を有することにより、通信者の感情や気持ちを現実的に表現することができる効果がある。
【００２８】
また、本考案は、請求項７に記載のように、請求項６に記載の電子メール画像提供システムにおいて、画像記憶手段の動画がアニメーションからなる構成を有することにより、自由な表現にすることができる効果がある。
【００２９】
また、本考案は、請求項８に記載のように、請求項１乃至７のいずれかに記載の電子メール画像提供システムにおいて、画像がロボットからなる構成を有することにより、ロボットの表情や動作によって表現することができる効果がある。
【００３０】
また、本考案は、請求項９に記載のように、請求項１乃至８のいずれかに記載の電子メール画像提供システムにおいて、画像提供手段がユーザに選択可能な複数のグループからなる画像を提供する構成を有することにより、ユーザに好みの画像の選択肢を与えることができる効果がある。
【００３１】
また、本考案は、請求項１０に記載のように、請求項１乃至９のいずれかに記載の電子メール画像提供システムにおいて、ユーザが異なる表意文字列要素を複数以上入力することによって対応する画像が変化することからなる構成を有することにより、ユーザの通信文に適合した画像の変化を表示することができる効果がある。
【００３２】
また、本考案は、請求項１１に記載のように、請求項１０に記載の電子メール画像提供システムにおいて、表意文字列要素の間に挟まれた通信文が画像と共に文字表示される構成を有することにより、変化する画像に会わせてその間に挿入した通信文を表示することができる効果がある。
【００３３】
また、本考案は、請求項１２に記載のように、請求項１１に記載の電子メール画像提供システムにおいて、通信文が画像の吹き出し表示又はテロップ表示として表示される構成を有することにより、変化する画像のセリフとして通信文を挿入することができる効果がある。
【００３４】
また、本考案は、請求項１３に記載のように、請求項１０、１１又は１２に記載の電子メール画像提供システムにおいて、異なる画像がモーフィング手段により連続するように変化することからなる構成を有することにより、連続的に滑らかに変化する画像を提供することができる効果がある。
【００３５】
また、本考案は、請求項１４に記載のように、請求項１乃至１３のいずれかに記載の電子メール画像提供システムにおいて、表意文字列要素とこれに対応する画像がユーザから入力されたものを登録したものからなる構成を有することにより、画像をユーザ本人の顔写真など本人だけの画像を提供することができる効果がある。
【００３６】
また、本考案は、請求項１５に記載のように、請求項１乃至１４のいずれかに記載の電子メール画像提供システムにおいて、画像提供手段がユーザが選択することができる複数の画像を提供する構成を有することにより、ユーザに画像を選択可能に提供することができる効果がある。
【００３７】
また、本考案は、請求項１６に記載のように、請求項１乃至１５のいずれかに記載の電子メール画像提供システムにおいて、画像提供手段がユーザが表意文字列要素に特定の付帯要素を付加することによって付帯画面が追加された画面を提供する構成を有することにより、表意文字列要素による画像に付帯要素を付加することによって、例えば、汗をかくとか、花びらが散るとか等の付帯画面を追加することができる効果がある。
【００３８】
また、本考案は、請求項１７に記載のように、請求項１乃至１６のいずれかに記載の電子メール画像提供システムにおいて、表意文字列要素が意味のある１字又は複数の漢字、カタカナ、ひらがな、ローマ字、数字、記号、アルファベット等からなる文字構成を有することにより、通信文中の文字を画像に変換して表示することができる効果がある。
【００３９】
また、本考案は、請求項１８に記載のように、請求項１乃至１７に記載の電子メール画像提供システムにおいて、一のユーザが入力した文章から表意文字列要素を認識する表意文字列要素認識手段と、前記認識手段により認識された表意文字列要素に対応した画像を本発明システムのサーバに接続した他のユーザ端末に提供する画像提供手段とからなる構成を有することにより、一のユーザが他のユーザに表意文字列要素付きの文章を画像付き文章に変換して提供することができる効果があり、また、画像が見ている間に連続的に変化する場合には見るものに与えるインパクトが強く働き、一のユーザから他のユーザに画像付き文章あるいは文章付き画像として、催し物や商品など様々な情報を画像付き情報として提供することができる効果がある。
【考案を実施するための最良の形態】
【００４０】
本考案は、相手に通信文に込められた気持を伝えるために感情又は状況を表す表情、態度又は姿勢にそれぞれ対応した文字、記号、図形又はその組み合わせからなる表意文字列要素を記憶する表意文字列要素記憶手段と、表意文字列要素にそれぞれ対応した画像が記憶されている画像記憶手段と、ユーザが入力した文章から表意文字列要素を認識する表意文字列要素認識手段と、前記認識手段により認識された表意文字列要素に対応した画像をユーザ端末に提供する画像提供手段とからなる電子メール画像提供システムを提供するものである。
【００４１】
「表意文字列要素」は、意味のある「桜」「猫」「涙」「恋」などの１字の漢字又は「百合」「小鳥」「微笑」「合格」などの複数の漢字、「コスモス」「ひよこ」「ＴＨＡＮＫ  Ｕ」「３９」などのカタカナ、ひらがな、ローマ字、数字、又は、「ハート形」や「傘マーク」などからなる絵文字、(*&acute;▽｀*)などの記号の組み合わせからなる顔文字、又は（ＴｏＴ）などのアルファベット等の組み合わせからなる顔文字等の文字構成を有する。
【００４２】
「画像」は、上記の表意文字列要素に対応する静止画又は動画からなり、特定のユーザがユーザ端末から入力した人物の上半身または顔の写真や映像、似顔絵、ペットの写真や映像、観光旅行中の食べ物、風景、売店、有名人又は自分で作った物の写真や映像を含み、サーバの画像データベースにそのユーザＩＤと共にあらかじめ登録されて格納されている。
【００４３】
また、サーバの画像データベースには、すべてのユーザに利用可能に開放されたあらゆるジャンルの画像がその呼び出し表意文字列要素ごとに対応するように分類されて予め格納されている。
【００４４】
その「画像」は、静止画又は動画からなる人物、風景、風物、植物、動物の画像や、アニメーションやＣＧなどの仮想的な人物や動物、ロボットなどの画像を含む。
【００４５】
「ユーザ端末」は電話、ＰＤＡ、ノートパソコン、ゲーム機等の携帯端末、又はパソコンのような端末を含む。
【実施例１】
【００４６】
図１の本考案システムの構成図において、サーバ１０は、通信処理部１１、登録部１２、ユーザデータベース１３、画像データベース１４、画像文字処理部１５、画像処理部１６の機能ブロックからなる。これら機能ブロックは、ハードウエアとソフトウエアとの組み合わせからなり、ハードウエア的にはコンピュータのＣＰＵをはじめとする各素子と、ソフトウエア的には画像処理機能のあるプログラムとの組み合わせによって実現されている。
【００４７】
通信処理部１１はインターネット２を介してユーザ端末１との間で通信を行い、登録部１２は携帯電話等のユーザ端末１から電子メールによって送られたユーザの登録データをユーザＩＤとメールアドレスによって特定して、ユーザＩＤによって分類してユーザデータベース１３に登録するように構成してある。
【００４８】
また、登録部１２は、図２に記載のように、ユーザがユーザ端末１から入力した画像２０ａとその画像にユーザが指示して付した画像区分２０ｃと表意文字列要素２０ｂを、ユーザＩＤ２０で分類してユーザデータベース１３に登録するように構成してある。
【００４９】
画像区分２０ｃは、人物の上半身または顔の写真や映像、似顔絵、ペットの写真や映像、有名人又は自分で作った人物の写真や映像、観光旅行中の食べ物、風景、売店などからなる。
【００５０】
また、ユーザデータベース１３にユーザＩＤ２０ごとに登録された画像２０ａには、画像区分２０ｃごとにその画像の喜怒哀楽などの表意文字列要素２０ｂの意味づけが付されて蓄積されている。
【００５１】
その表意文字列要素２０ｂの意味づけが付された画像データは、サーバが予め用意した画像をユーザに提示してユーザが認定し登録した画像と、ユーザがユーザ端末１から電子メールで直接に入力した画像と、サーバの画像処理部１６において前記ユーザの入力した画像に基づいて予測される表意文字列要素に対応する画像を作成して、画像文字処理部１５及び通信処理部１１を介してユーザに送信して、ユーザが自分の使用する画像として登録した画像も含む。
【００５２】
また、画像データベース１４には既存の画像データがあらかじめ格納されている。既存の画像データは、歴史上の人物の肖像画や動物の画像や、アニメーションやＣＧなどの仮想的な人物や動物、ロボットなどの画像の他に、風景、風物、植物が含まれる。
【００５３】
画像処理部１６は、ユーザからの指示にもとづいてユーザデータベース１３からユーザの登録した２枚の画像のマッチングをとり、中間画像を生成することができる。また、画像処理部１６の一部であるモーフィング処理部１６ａは、ユーザからの指示にもとづいてユーザデータベース１３からユーザの登録した画像を２枚選択し、これら２枚の画像のマッチングをとって中間画像を含む２枚の画像間の連続画像を生成することもできる。モーフィング処理部１６ａはさらにユーザからの変形要請を受け取り、生成される中間画像を適宜変形することができる。この変形は、肖像の髪型や輪郭の変形、若返りや老化、目や鼻の美顔や好みの顔への変形、背景又は前景として花びらを散らす、顔に汗の水玉を散らすなどの背景効果処理などである。
【００５４】
このようにして合成して得られる合成画像はＨＴＭＬのデータ形式で通信処理部１１を介してユーザ端末１に送信され、ユーザ端末１において自由に取り扱われると共に、ユーザからサーバ１０の登録部１２への送信により、ユーザの指示に従って表意文字列要素を付して登録される。
【００５５】
また、画像文字処理部１５は、ユーザＩＤ毎に、顔文字群、絵表示記号、喜怒哀楽を表す文字などからなる表意文字列要素を記憶する記憶手段を具備していると共に、ユーザ端末１から送信されてきた文字列からなる文章中から、表意文字列要素を識別して認識する認識手段を具備しており、前記認識手段により認識された表意文字列要素に対応した画像をユーザデータベース１３から取り出して、先にユーザから入力した文章にその画像を添付してＨＴＭＬ形式で通信処理部１１からユーザ端末１に送信する。
【００５６】
なお、表意文字列要素に対応する画像は、一個ではなく複数個を画像番号を付して提供してユーザに選択して使用させることも可能である。
【００５７】
この場合、ユーザ端末１ではサーバ１０から受け取った画像を適宜に選択して、ユーザ端末１の備える機能を利用して文章に組み合わせて画像付き文章に加工することも勿論可能である。
【００５８】
また、たとえば、「  。（−−）。それは残念です。でも頑張ってください。(*´▽｀*)  」のような通信文の場合、画像文字処理部１５は、心配や失意や慰めの表意文字列要素の絵文字「。（−−）。」と励ましや声援や応援の表意文字列要素の絵文字「(*´▽｀*)」とを「それは残念です。でも頑張ってください。」の文章の両側で認識することによって、ユーザデータベース１３からそれぞれ対応する画像を個々にユーザに提供し、ユーザの通信文に適合した画像の変化を表示することも可能である。
【００５９】
しかし、この場合、ユーザの「モーフィング処理」指示によって、第１と第２の画像を画像処理部１６のモーフィング処理部１６ａにおいて、その中間処理像を含む連続的に滑らかに変化するモーフィング画像を生成して、画像文字処理部１５及び通信処理部１１を介してユーザ端末１に、連続画像として提供することも可能である。
【００６０】
また、この場合、図７ａに記載のように、変化する画像に合わせてその間の通信文を画像の吹き出し表示又はテロップ表示として、変化する画像のセリフとして通信文を挿入することも可能である。
【００６１】
また、表意文字列要素に「汗」「涙」「花」のような比較的短い記号的な文字列からなる付帯要素を付加することによって、上記サーバにより提供される画像に、図７ｂに記載のように、汗や涙や花びらや落ち葉のような付帯要素を背景や前景に加えるようにすることも可能である。
【実施例２】
【００６２】
携帯電話１は無線通信により基地局と通信し、基地局はゲートウエイを介してインターネット２に接続しており、携帯電話１はパケット通信を行い、サーバ１０にアクセスすることができる。携帯電話１からサーバ１０にメールを送ると、携帯電話１０には、メニュー選択画面が表示され、使用方法、ユーザ登録、画像登録、画像選択等の各メニューから、ユーザはまず、サーバ１０でのユーザ登録を行う必要がある。
【００６３】
図３は、ユーザ登録の手順を示すシーケンス図である。携帯電話１からサーバ１０にメールを送り（Ｓ１）、サーバ１０から送信された登録画面においてユーザ登録を選択すると、ユーザ情報入力画面が表示され、メールアドレスの入力フィールドと、予めサーバ１０の画像データベース１４に格納されているデフォルトで登録する画像を選択するフィールドが表示される（Ｓ２）。デフォルト画像を選択するフィールドはプルダウンメニューになっており、あらかじめ「表意文字列要素」を定められたデフォルト画像を「画像区分」の中からユーザが選択し、送信ボタンを押すと、入力情報確認画面に切り替わる（Ｓ３）。この画面でユーザが入力したメールアドレスと、選択したデフォルト画像をユーザに確認させ、ユーザが確認ボタンを押すと、メールアドレスおよびデフォルト画像の情報がサーバ１０へ送信される（Ｓ４）。
【００６４】
サーバ１０では、登録部１２により受信したメールアドレスと関連してユーザＩＤが決定され、ユーザ登録データが作成され、ユーザの登録処理が行われ、ユーザＩＤと関連して画像区分ごとに表意文字列要素と対応した画像データがユーザデータベース１３に登録され（Ｓ５）、サーバ１０から携帯電話１へ登録完了通知が送信される（Ｓ６）。携帯電話１には登録完了画面が表示される。
【実施例３】
【００６５】
図４はサーバ独自の画像の登録の手順を示すシーケンス図である。携帯電話１のＣＣＤカメラにより被写体が撮影され、図６ａのように撮影された画像がＬＣＤに表示され、登録ＯＫボタンを押すと、画像登録画面に切り替わり、携帯電話１における登録処理は自動的に行われる（Ｓ７）。画像の自動登録はメールにより行われ、まず携帯電話１に搭載されたメーラーが起動され（Ｓ８）、サーバは撮影された画像を添付したメールを作成する（Ｓ９）。作成されたメールには画像区分及び表意文字列要素が付されており、サーバ１０宛に送信される（Ｓ１０）。
【００６６】
このとき、メール送信用のＨＴＭＬリンクにメーラーの指定、ユーザのメールアドレス、メールの宛先、添付画像の画像区分及び表意文字列要素を記述しておくことにより、ユーザのＨＴＭＬリンクのクリックを契機に、メーラーの起動から画像が添付されたメールの送信までの処理を自動的に行うことが可能である。
【００６７】
サーバ１０は携帯電話１から画像付きメールを受信し（Ｓ１１）、登録部１２がそのメールのヘッダのＦｒｏｍ行から送信元のメールアドレスを取得し、ユーザデータベース１３を検索してそのメールアドレスに対応するユーザＩＤを求める（Ｓ１２）。受信したメールから画像を取り出しその画像を、ユーザＩＤに対応づけて画像区分と表意文字列要素と関連づけてユーザデータベース１３に登録する（Ｓ１３）。サーバ１０から携帯電話１へ画像の登録完了通知が送信され（Ｓ１４）、サーバ１０から独自の画像登録が完了する。
【実施例４】
【００６８】
図５は画像付文章作成の手順を示すシーケンス図である。メニューから絵文字付文章作成を選択して、作成欄に絵文字付き文章を作成し（Ｓ１５）、ユーザＩＤと共にサーバ１０に送信される（Ｓ１６）。サーバ１０は登録部１２でユーザＩＤを特定し、画像文字処理部１５において、ユーザの文章から絵文字を認定して、対応する画像をユーザデータベース１３から読み出し（Ｓ１７）、画像文字処理部１５において絵文字に対応した画像付き文章を作成し、通信処理部１１を介して図６ｂに記載のように携帯電話１に送信する（Ｓ１８）。
【００６９】
ステップＳ１９において、サーバから送信された画像付き文章をユーザが満足（Ｙ）であれば、絵文字付き文章から画像付き文章へのサーバの変換作業は終了し、不満足又は他の画像を希望する場合は（Ｎ）、更に図６ｃに記載のようにサーバ１０から提示された登録済みの画像リストから選択して、その選択した画像番号をサーバ１０に送信する（Ｓ２１）。この場合、たとえば、文章の両側に付した絵文字に対応する２個の画像を選択した場合には、サーバ１０は、画像処理部１６のモーフィング処理部１６ａにおいて１個の画像からもう１個の画像に連続的に変化するモーフィング合成画像が生成し、画像文章処理部１５において、図７ａに記載のように、合成画像に吹き出しセリフ３０として文章部分が表示される合成画像付文章が作成され（Ｓ２２）、ユーザの携帯電話１に送信される（Ｓ２３）。
【００７０】
ステップＳ２４において、サーバ１０から送信された画像付き文章をユーザが満足（Ｙ）であれば、絵文字付き文章から画像付き文章へのサーバの変換作業は終了し（Ｓ２５）、不満足又は他の画像を希望する場合は（Ｎ）、ステップ２６に記載のように、再度、画像選択（Ｓ２０）に戻り、サーバ１０から提示された登録済みの画像リストから再度選択して、その選択した画像番号をサーバ１０に送信する（Ｓ２１）。この場合、たとえば、文章の両側に付した絵文字に「花飾り」のような付加要素を付して対応する２個の画像を選択した場合には、サーバ１０においては、画像処理部１６のモーフィング処理部１６ａにおいて図７ｂに記載のように連続的に変化するモーフィング合成画像に花びらが散るような装飾が付加され、装飾効果を加えた合成画像付文章が作成され、ユーザの携帯電話１に送信される（Ｓ２３）。
【実施例５】
【００７１】
図８の構成図に記載の実施例において、１は本考案システムのサーバ１０を画像付き情報提供の手段として利用する特定の一のユーザのユーザ端末であり、３は本考案システムのサーバ１０を介して一のユーザから画像付き情報の提供を受け取る側の他のユーザのユーザ端末であり、この他のユーザ端末３の利用者はサーバ１０にユーザ登録した特定のユーザでも、サーバ１０にインターネット２を介して接続している不特定多数のユーザでも良い。
【００７２】
図８において、サーバ１０の通信処理部１１、登録部１２、ユーザデータベース１３及び画像文字処理部１５の構成は、図１の実施例と同様であるが、一のユーザ端末１から受信した絵文字付き文章を画像付き文章又は文章付き画像に変換してサーバ１０から通信処理部１１を介して送信する相手が一のユーザではない他のユーザの端末３である点が異なる。
【００７３】
この実施例の場合、サーバ１０内のユーザーデータベース１３には、一のユーザが事前に登録した表意文字列要素（絵文字又は顔文字等）付き画像が格納されており、ユーザ端末１から送信された電子メールにおいて本文中に書かれた文字列から前記一のユーザが事前に登録した表意文字列要素を識別して、画像文章処理部１５において本文と画像を合成して、通信処理部から他のユーザ端末３に電子メール本文と共に画像を送信し表示させることができる。
【００７４】
また、顔の表情が変わるなど、画像が見ている間に連続的に変化する場合には、見るものに与えるインパクトが強く、従って、顔の表情が変化する画像に、催し物、商品、コンサートの宣伝文等を吹き出し文字にして提供するようなことも可能である。
【図面の簡単な説明】
【００７５】
【図１】本考案システムの一実施例の構成図。
【図２】その実施例のユーザーデータベースに格納される登録データの概略説明図。
【図３】その実施例のユーザ登録手順の一実施例の概略シーケンス図。
【図４】その実施例の画像登録手順の他の実施例の概略シーケンス図。
【図５】その実施例の画像生成手順の一実施例の概略シーケンス図。
【図６ａ】その実施例の画像登録手順の一概略説明図。
【図６ｂ】その実施例の画像登録手順の他の概略説明図。
【図６ｃ】その実施例の画像生成手順の一概略説明図。
【図７ａ】その実施例の画像生成手順の他の概略説明図。
【図７ｂ】その実施例の画像生成手順の他の概略説明図。
【図８】本考案システムの他の実施例の構成図。
【符号の説明】
【００７６】
１      ユーザ端末（携帯電話）
２      インターネット
１０    サーバ
１１    通信処理部
１２    登録部
１３    ユーザーデータベース
１４    画像データベース
１５    画像文字処理部
１６    画像処理部
【図１】
0003135098.tif 000003
【図２】
0003135098.tif 000004
【図３】
0003135098.tif 000005
【図４】
0003135098.tif 000006
【図５】
0003135098.tif 000007
【図６ａ】
0003135098.tif 000008
【図６ｂ】
0003135098.tif 000009
【図６ｃ】
0003135098.tif 000010
【図７ａ】
0003135098.tif 000011
【図７ｂ】
0003135098.tif 000012
【図８】
0003135098.tif 000013
【手続補正書】
【提出日】平成19年6月28日(2007.6.28)
【手続補正１】
【補正対象書類名】図面
【補正対象項目名】図６ａ
【補正方法】変更
【補正の内容】
【図６ａ】
0003135098.tif 000014
【手続補正２】
【補正対象書類名】図面
【補正対象項目名】図６ｂ
【補正方法】変更
【補正の内容】
【図６ｂ】
0003135098.tif 000015
【手続補正３】
【補正対象書類名】図面
【補正対象項目名】図６ｃ
【補正方法】変更
【補正の内容】
【図６ｃ】
0003135098.tif 000016
【手続補正４】
【補正対象書類名】図面
【補正対象項目名】図７ａ
【補正方法】変更
【補正の内容】
【図７ａ】
0003135098.tif 000017
【手続補正５】
【補正対象書類名】図面
【補正対象項目名】図７ｂ
【補正方法】変更
【補正の内容】
【図７ｂ】
0003135098.tif 000018